(57)【要約】【課題】  エレベータに設置される表示装置を介して配信する広告等の情報が、そのエレベータの利用者に対して配信されているか否かについての情報を、広告主が知ることができるエレベータ情報配信システム及びプログラムを提供する。【解決手段】  情報配信センタは、情報提供主が制作する情報を登録する情報登録手段と、その情報を再生する日時についての再生スケジュールを登録する再生スケジュール登録手段と、その情報及び再生スケジュールとを管理し、表示手段への配信を制御する管理手段と、その情報及び再生スケジュールを表示手段に配信する配信手段とを備える。また、表示手段は、情報配信センタから、情報及び再生スケジュールを受信して蓄積する蓄積手段と、再生スケジュールに従って蓄積した情報を再生する情報再生手段と、情報配信センタからの受信状況、又は、情報の再生状況を、情報配信センタへ送信する再生状況通知手段を備える。【選択図】図１
2006293595.tif 000002
【特許請求の範囲】
【請求項１】
情報提供主の端末から入力される情報を、情報配信センタからネットワークを介して配信し、エレベータに設置される表示手段にて表示するエレベータ情報配信システムであって、
前記情報配信センタは、
前記情報提供主が制作する情報を登録する情報登録手段と、
前記情報登録手段に登録されている情報を再生するための日時についての再生スケジュールを登録する再生スケジュール登録手段と、
前記情報登録手段に登録されている情報、及び、前記再生スケジュール登録手段に登録されている再生スケジュールとを管理し、前記表示手段への配信を制御する管理手段と、
前記情報及び再生スケジュールを前記表示手段に配信する配信手段とを備え、
前記表示手段は、
前記情報配信センタから、情報及び再生スケジュールを受信して蓄積する蓄積手段と、
前記再生スケジュールに従って蓄積した情報を再生する情報再生手段と、
前記情報配信センタからの受信状況、又は、情報の再生状況を、前記情報配信センタへ送信する再生状況通知手段とを備える
ことを特徴とするエレベータ情報配信システム。
【請求項２】
前記再生スケジュールは、前記情報を前記表示手段で最低限再生する回数である再生保証回数を有し、
前記表示手段により再生した前記情報の回数が、前記再生スケジュール登録手段に登録されている再生保証回数よりも少ない場合には、警告を発する警告手段を更に有することを特徴とする請求項１に記載のエレベータ情報配信システム。
【請求項３】
前記再生スケジュールは、前記表示手段に表示されるフレームごとにスケジュールが設定され、
前記表示手段は、前記フレームごとに設定されたスケジュールに基づいて情報を再生することを特徴とする請求項１又は２に記載のエレベータ情報配信システム。
【請求項４】
前記表示手段は、前記エレベータの利用者からの要求を受け付ける要求受信手段を有し、前記要求受信手段が受け付けた要求に基づいて、前記表示手段で再生する情報を制御することを特徴とする請求項１〜３のいずれかの項に記載のエレベータ情報配信システム。
【請求項５】
前記情報登録手段は、更に、前記情報の詳細情報又は前記エレベータの利用者のための情報を登録し、
前記要求受信手段は、受信した要求を前記管理手段へ送信し、
前記管理手段は、前記要求受信手段から受信した要求に基づいて、前記情報登録手段から前記情報の詳細情報又は前記エレベータの利用者のための情報を読み出して、前記表示手段で再生することを特徴とする請求項４に記載のエレベータ情報配信システム。
【請求項６】
情報提供主の端末から入力される情報を、情報配信センタからネットワークを介して配信し、エレベータに設置される表示手段にて表示するエレベータ情報配信プログラムであって、
前記情報提供主が制作する情報を登録する第１のステップと、
前記第１のステップで登録した情報を再生する日時についての再生スケジュールを登録する第２のステップと、
前記第１のステップで登録した情報、及び、前記第２のステップで登録した再生スケジュールとを管理し、前記表示手段への配信を制御する第３のステップと、
前記情報及び再生スケジュールを前記表示手段に配信する第４のステップと、
前記情報配信センタから、情報及び再生スケジュールを受信して蓄積する第５のステップと、
前記再生スケジュールに従って蓄積した情報を再生する第６のステップと、
前記情報配信センタからの受信状況、又は、情報の再生状況を、前記情報配信センタへ送信する第７のステップと
をコンピュータに実行させるためのエレベータ情報配信プログラム。
【発明の詳細な説明】
【技術分野】
【０００１】
本発明は、エレベータに設置される表示装置を介して、そのエレベータの利用者に対して広告等の情報を配信するエレベータ情報配信システム及びプログラムに関する。
【背景技術】
【０００２】
従来から、エレベータを利用する利用者に対して、そのエレベータに設置された表示装置により広告を配信するビル内情報提供装置が知られている（特許文献１）。このビル内情報提供装置では、利用者がエレベータ内で表示装置を閲覧することにより、視聴等を希望する広告を携帯電話等を介して受信することにより、利用者が希望する広告を配信するようにしている。そして、利用者が携帯電話により取得した広告についての情報を、その広告の広告主に対して提供することにより、より効果的に広告を配信するための情報を取得する技術が開示されている。
【特許文献１】特開２００２−２５１５６５号公報
【発明の開示】
【発明が解決しようとする課題】
【０００３】
しかしながら、特許文献１に記載されているビル内情報提供装置では、配信や表示に不備があって表示されない広告があれば、表示された広告の中でしかエレベータの利用者が希望した広告を知ることができない。すなわち、広告主は、配信した広告が確実に配信及び表示されているか把握することができないため、正しい情報に基づいて選択した効果的な広告を配信することができず、広告主にとっては確実にエレベータの利用者に対して広告を閲覧させることができないという問題があった。
【０００４】
本発明は、上記事情を考慮してなされたもので、その目的は、エレベータに設置される表示装置を介して配信する広告等の情報が、そのエレベータの利用者に対して配信されているか否かについての情報を、広告主が知ることができるエレベータ情報配信システム及びプログラムを提供することにある。
【課題を解決するための手段】
【０００５】
本発明は、上記課題を解決するためになされたもので、請求項１に記載の発明は、情報提供主の端末から入力される情報を、情報配信センタからネットワークを介して配信し、エレベータに設置される表示手段にて表示するエレベータ情報配信システムであって、前記情報配信センタは、前記情報提供主が制作する情報を登録する情報登録手段と、前記情報登録手段に登録されている情報を再生するための日時についての再生スケジュールを登録する再生スケジュール登録手段と、前記情報登録手段に登録されている情報、及び、前記再生スケジュール登録手段に登録されている再生スケジュールとを管理し、前記表示手段への配信を制御する管理手段と、前記情報及び再生スケジュールを前記表示手段に配信する配信手段とを備え、前記表示手段は、前記情報配信センタから、情報及び再生スケジュールを受信して蓄積する蓄積手段と、前記再生スケジュールに従って蓄積した情報を再生する情報再生手段と、前記情報配信センタからの受信状況、又は、情報の再生状況を、前記情報配信センタへ送信する再生状況通知手段とを備えることを特徴とするエレベータ情報配信システムである。
【０００６】
また、請求項２に記載の発明は、前記再生スケジュールは、前記情報を前記表示手段で最低限再生する回数である再生保証回数を有し、前記表示手段により再生した前記情報の回数が、前記再生スケジュール登録手段に登録されている再生保証回数よりも少ない場合には、警告を発する警告手段を更に有することを特徴とする請求項１に記載のエレベータ情報配信システムである。
【０００７】
また、請求項３に記載の発明は、前記再生スケジュールは、前記表示手段に表示されるフレームごとにスケジュールが設定され、前記表示手段は、前記フレームごとに設定されたスケジュールに基づいて情報を再生することを特徴とする請求項１又は２に記載のエレベータ情報配信システムである。
【０００８】
また、請求項４に記載の発明は、前記表示手段は、前記エレベータの利用者からの要求を受け付ける要求受信手段を有し、前記要求受信手段が受け付けた要求に基づいて、前記表示手段で再生する情報を制御することを特徴とする請求項１〜３のいずれかの項に記載のエレベータ情報配信システムである。
【０００９】
また、請求項５に記載の発明は、前記情報登録手段は、更に、前記情報の詳細情報又は前記エレベータの利用者のための情報を登録し、前記要求受信手段は、受信した要求を前記管理手段へ送信し、前記管理手段は、前記要求受信手段から受信した要求に基づいて、前記情報登録手段から前記情報の詳細情報又は前記エレベータの利用者のための情報を読み出して、前記表示手段で再生することを特徴とする請求項４に記載のエレベータ情報配信システムである。
【００１０】
また、請求項６に記載の発明は、情報提供主の端末から入力される情報を、情報配信センタからネットワークを介して配信し、エレベータに設置される表示手段にて表示するエレベータ情報配信プログラムであって、前記情報提供主が制作する情報を登録する第１のステップと、前記第１のステップで登録した情報を再生する日時についての再生スケジュールを登録する第２のステップと、前記第１のステップで登録した情報、及び、前記第２のステップで登録した再生スケジュールとを管理し、前記表示手段への配信を制御する第３のステップと、前記情報及び再生スケジュールを前記表示手段に配信する第４のステップと、前記情報配信センタから、情報及び再生スケジュールを受信して蓄積する第５のステップと、前記再生スケジュールに従って蓄積した情報を再生する第６のステップと、前記情報配信センタからの受信状況、又は、情報の再生状況を、前記情報配信センタへ送信する第７のステップとをコンピュータに実行させるためのエレベータ情報配信プログラムである。
【発明の効果】
【００１１】
本発明は、情報配信センタから一定期間に再生する情報及びその情報を再生するための再生スケジュールをまとめてエレベータの表示手段に配信し、表示手段でその再生スケジュールに従って情報を再生するとともに、情報の受信状況、又は、情報の再生状況を、情報配信センタへ送信するようにした。
これにより、情報配信センタとエレベータとのネットワークの状態による影響を少なくして、情報を安定して再生することができ、情報提供者は、配信した情報が確実に配信されたかについての情報等を把握することができ、正しい配信情報に基づいて効果的に広告等の情報をエレベータの利用者に対して配信することができる。
【発明を実施するための最良の形態】
【００１２】
以下、図面を参照し、本発明の実施形態について説明する。
図１は、本発明の第１の実施形態によるエレベータ情報配信システムの構成図である。このエレベータ情報配信システムは、コンテンツ配信センタ１０と、建物２０ａ、２０ｂ、・・・がネットワーク７により接続されることにより構成されている。建物２０ａ、２０ｂ、・・・は、エレベータ設備を備える高層オフィスビルなどである。また、ネットワーク７は、インターネットなどである。
コンテンツ配信センタ１０には、コントロールサーバ１、ＤＢ（Data Base）サーバ２、ＷＥＢ／ＦＴＰ（
200504081119588430__________GWE00604____________________APH_0.html
）サーバ３、障害監視サーバ４、配信サーバ５、ルータ６が設置されている。
【００１３】
コントロールサーバ１は、コンテンツ配信管理部１１、スケジュール登録部１２、配信ログ収集部１３、ディスプレイ管理部１４、コンテンツ管理部１５を有する。
コンテンツ配信管理部１１は、広告などのコンテンツを配信する際のスケジュール、及び、広告などの所定のコンテンツを建物２０（２０ａ、２０ｂ、・・・）に設置されるコンテンツ蓄積・再生端末６２（６２ａ１、６２ａ２、６２ｂ１、６２ｂ２、・・・）に対して配信する。本実施形態では、コンテンツをディスプレイ６３（６３ａ１、６３ａ２、６３ｂ１、６３ｂ２、・・・）で表示する数日前に、そのコンテンツを配信するようにしている。なお、無線アクセスポイント６０ａ等と無線クライアント６１ａ１等との無線ネットワークの接続が切断され、コンテンツの配信に失敗した場合などには、必要に応じて臨時配信が行われる。
【００１４】
スケジュール登録部１２は、コンテンツをディスプレイ６３ａ１等で表示する順番を指定する再生スケジュールの登録を日毎に行う。スケジュール登録部１２に登録される再生スケジュールの数は、コンテンツに指定されたコンテンツ蓄積・再生端末６２ａ１等の属性により決定される。属性としては、例えば、同じビル内や地域内にある複数のエレベータに設置されているコンテンツ蓄積・再生端末６２を同じグループに設定することが考えられる。
配信ログ収集部１３は、配信ごと又は所定期間ごとに、コンテンツ蓄積・再生端末６２ａ１等によりディスプレイ６３ａ１により再生されたコンテンツの再生結果についての情報を収集し、配信サーバ５を経由してＤＢサーバ２の配信ログ登録部２２に登録する。
図２は、配信ログ登録部２２に登録される再生結果データの一例を示す図である。配信ログ登録部２２には、コンテンツ（Ａ社広告、Ｂ社広告、Ｃ社広告、・・・）に応じて、「配信予定回数」、「実再生回数」、「成功率」、「配信停止日時」等の情報が記録される。「配信予定回数」は、コンテンツをディスプレイ６３に再生する予定回数についての情報である。「実再生回数」は、現在までにディスプレイ６３で再生したコンテンツの回数についての情報である。「成功率」は、「実再生回数」／「配信予定回数」×１００（％）により算出される情報である。「配信停止日時」は、ディスプレイ６３のコンテンツの再生を停止した時期について規定する情報である。
【００１５】
図１に戻り、無線アクセスポイント６０ａ等と無線クライアント６１ａ１等との無線ネットワークの接続が切断され、コンテンツの再生結果についての情報の収集に失敗した場合には、必要に応じて臨時収集を行う。
ディスプレイ管理部１４は、ディスプレイ６３（６３ａ１、・・・）ごとに、それらのディスプレイが設置されている建物名や、それらのディスプレイにコンテンツを配信するコンテンツ蓄積・再生端末６２ａ１及びその端末のＩＰアドレス等の情報を管理する。
コンテンツ管理部１５は、広告主が使用する広告主端末等から入稿されるコンテンツのために、入稿前に予め、コンテンツごとに、そのコンテンツの放映期間やコンテンツの長さ、コンテンツをディスプレイで表示する際のレイアウト、コンテンツを配信する対象となるコンテンツ蓄積・再生端末６２ａ１等の情報などを設定する。また、それらの情報と、コンテンツが記録されるファイルとの関連付けを行う。
このように関連付けた情報は、広告主によってコンテンツが入稿された後、コンテンツを管理するためのコンテンツ属性情報として、スケジュール登録部１２で管理され、コンテンツはＤＢサーバ２へ登録されてコンテンツ管理部１５で管理される。
【００１６】
コンテンツ管理部１５により設定されるコンテンツの画面レイアウトの一例について図３に示す。ここでは、ディスプレイ６３をフレームｆ１〜ｆ５の５つの画面に分割して表示する場合について示している。ここでは、フレームｆ１のサイズが８００×６００、フレームｆ２のサイズが２２４×３４０、フレームｆ３のサイズが１０２４×１６８、フレームｆ４のサイズが２２４×１５０、フレームｆ５のサイズが２２４×１１０、の場合について示しているが、それぞれのフレームの大きさはこれに限定されるものではない。
【００１７】
それぞれのフレームには、図４に示すように異なるコンテンツを再生させるように設定することができる。ここでは、フレームｆ１〜ｆ４に対してコンテンツの「開始」時間、「終了」時間、コンテンツを再生する順序である「再生順」、「登録情報照合」の各情報を対応付けて記録している場合を示している。ここで、「登録情報照合」とは、コンテンツをディスプレイで再生する期間を超過していないか否かを照合するための情報であり、期間を超過している場合には、アラームなどの警告手段により警告を発すること等により、そのコンテンツの配信期間が終了していることを通知するなどの処理を行う。
【００１８】
図１に戻り、ＤＢサーバ２は、コンテンツ登録部２１、配信ログ登録部２２を有する。コンテンツ登録部２１は、広告主端末等から入稿される広告や一般情報に関するコンテンツの登録を行い、配信サーバ５に対してそれらのコンテンツを提供する。ここで、一般情報としては、天気予報及び金融情報などがある。これらは、所定のフレームを確保しておき、広告のコンテンツとは別に、最新の情報をそのフレームで放映される直前などに配信することができる。
ＤＢサーバ２のコンテンツ登録部２１に登録されるコンテンツ属性情報の一例を図５に示す。図に示すようにコンテンツ属性情報としては、「コンテンツ名」、「ファイル名」、「再生秒数」、「掲出期間」、「掲出時間帯」、「再生保証回数」、「グループ再生ロール番号」等が含まれる。ここで、「再生秒数」とは、コンテンツを再生する秒数についての情報である。「掲出期間」は、コンテンツを配信する期間についての情報である。「掲出時間帯」は、一日の中でコンテンツを配信する時間帯についての情報である。「再生保証回数」は、ディスプレイ６３において最低限、コンテンツを再生する回数についての情報である。「グループ再生ロール番号」は、その番号のグループに属するディスプレイ（例えば、６３ａ１と６３ａ２）に対して同一のコンテンツを配信するための情報である。
このコンテンツ属性情報と、図４に示すようなフレームごとの再生スケジュールとによって、エレベータのグループごとに配信されるコンテンツについての再生スケジュールが構成される。なお、フレームごとに再生しない場合は、図５に示すコンテンツ属性情報を再生スケジュールとして用いることができる。再生スケジュールに基づいて、コンテンツ配信管理部１１は、図６に示すように、どのディスプレイでどのコンテンツを配信するかについて制御を行う。
図１に戻り、配信ログ登録部２２は、コントロールサーバ１が配信サーバ５を経由してコンテンツ蓄積・再生端末６２ａ１等に対して送信したコンテンツの配信結果を蓄積して登録する。配信ログ登録部２２には、図２に示した再生結果データとともに、図７に示すように、ディスプレイごとの再生結果データも登録される。ディスプレイごとの再生結果には、図７に示すように、コンテンツ（例えば、Ａ社広告１）を各エレベータに設置されるディスプレイ６３ａ１〜６３ａ４ごとに各配信日時における「配信予定回数」及び「実再生回数」が示される。また、各種アラーム情報を蓄積して登録する。ここで、アラーム情報とは、コンテンツの再生回数が所定の回数に満たない場合等に発せられる警告情報をいう。
【００１９】
ＷＥＢ／ＦＴＰサーバ３は、認証部３１、入稿管理部３２を有する。認証部３１は、建物２０ａ等のオーナ、一般情報提供事業者、広告主などが、コンテンツを入稿する際に、ＩＤ及びパスワード等による認証を行うことにより、それらの者が予め本実施形態によるエレベータ情報配信システムに登録されている者であるか否かについて認証を行う。
入稿管理部３２は、コンテンツ管理部１５で予めコンテンツごとに設定された放映時間やレイアウトなどの情報であって、認証された広告主などがコンテンツを入稿するための情報を、広告主等の端末に表示し、また、入稿された各種のコンテンツの入稿日時や、そのコンテンツを入稿した入稿者についての情報の管理を行う。
また、入稿管理部３２は、入稿後、入稿されたコンテンツと、そのコンテンツを入稿するための情報をコンテンツ属性情報として管理する。
このように入稿管理部３２によって広告主等の端末に表示された情報に基づいて、広告主等は、予め割り当てられた範囲で容易にコンテンツを入稿することができ、コンテンツ管理部１５でも各広告主間の入稿内容を調整する必要がなく、コンテンツを容易に登録することができ、変更も容易にできる。
【００２０】
障害監視サーバ４は、障害監視部４１を有する。障害監視部４１は、エレベータ６４に設置されるコンテンツ蓄積・再生端末６２ａ１等に、ソフトウェアの障害が発生した場合に、配信サーバ５を介して障害監視サーバ４の障害監視部４１にアラーム表示を行い、コンテンツ蓄積・再生端末６２ごとに詳細な障害情報を取得することを可能とする。
【００２１】
配信サーバ５は、コンテンツ登録・スケジュール配信部５１、ライフチェック部５２を有する。コンテンツ登録・スケジュール配信部５１は、コンテンツ及びそのコンテンツを配信するスケジュールの中継配信を行う。また、コンテンツの配信結果の収集や、コンテンツ蓄積・再生端末６２から通知される障害アラームの中継を行う。
図１に戻り、ライフチェック部５２は、コンテンツ蓄積・再生端末６２に定期的にアクセスし、無線アクセスポイント６０ａ等と無線クライアント６１ａ１の間のネットワークの状態や、コンテンツ蓄積・再生端末６２ａ１等の状態をＰＩＮＧ（Packet INternet Groper）やＨＴＴＰ（HyperText Transfer Protocol）により障害を感知した場合は、障害監視サーバ４に通知する。
【００２２】
建物２０ａには、ルータ８ａ、ビル内エレベータ用ＬＡＮ・９ａ、無線アクセスポイント６０ａ、無線クライアント６１ａ１、６１ａ２、コンテンツ蓄積・再生端末６２ａ１、６２ａ２、エレベータ６４ａ１、６４ａ２が設置されている。エレベータ６４ａ１、６４ａ２の籠内には、それぞれディスプレイ６３ａ１、６３ａ２が設置されいる。なお、ここでは、エレベータの籠内にディスプレイが設置されている場合について説明するが、このような構成に限定されるものではなく、エレベータホール内等にディスプレイ６３を設置するようにしてもよい。
【００２３】
なお、建物２０ｂ、ルータ８ｂ、ビル内エレベータ用ＬＡＮ・９ｂ、無線アクセスポイント６０ｂ、無線クライアント６１ｂ１，６１ｂ２、コンテンツ蓄積・再生端末６２ｂ１、６２ｂ２、コンテンツ表示用ディスプレイ６３ｂ１、６３ｂ２、エレベータ６４ｂ１、６４ｂ２の構成は、建物２０ａ、ルータ８ａ、ビル内エレベータ用ＬＡＮ・９ａ、無線アクセスポイント６０ａ、無線クライアント６１ａ１，６１ａ２、コンテンツ蓄積・再生端末６２ａ１、６２ａ２、ディスプレイ６３ａ１、６３ａ２、エレベータ６４ａ１、６４ａ２の構成と同様であるのでそれらの説明については省略する。
【００２４】
次に、本実施形態によるエレベータ情報配信システムの処理について説明する。
図８は、本実施形態によるエレベータ情報配信システムの処理を示すシーケンス図である。始めに、広告主等が制作する広告等のコンテンツをエレベータ情報配信システムに入稿し、そのコンテンツをエレベータに設置されるコンテンツ蓄積・再生端末６２に対して配信する方法について説明する。
広告主、一般情報提供事業者などの各種情報提供者は、ＰＣ（Personal Computer）等の端末を介してＷＥＢ・ＦＴＰサーバ３に対してＩＤ及びパスワードの情報を送信する（Ｓ１０１）。ＷＥＢ・ＦＴＰサーバ３では、予め登録してあるＩＤ及びパスワードと、各種情報提供者が使用する端末から送信されるＩＤ及びパスワードが一致するか否かについて認証を行う（Ｓ１０２）。ＩＤ及びパスワードが一致した場合には、ＷＥＢ・ＦＴＰサーバ３は、コンテンツ管理部１５で予め設定されたコンテンツを入稿するための情報を各種情報提供者の端末に表示し、その表示された放映時間などの範囲で各種情報提供者の端末からコンテンツを入力し（Ｓ１０３、Ｓ１０４）、ＷＥＢ・ＦＴＰサーバ３は、そのコンテンツを入稿するための情報を、ディスプレイごとの再生スケジュールを含むコンテンツ属性情報として、スケジュール登録部１２に送信するとともに、入稿されたコンテンツをＤＢサーバ２に送信する（Ｓ１０５）。ＤＢサーバ２のコンテンツ登録部２１は、受信したコンテンツ及びコンテンツ属性情報を登録する（Ｓ１０６）。
【００２５】
一方、コントロールサーバ１では、ディスプレイ管理部１４により、建物２０の名称、コンテンツ蓄積・再生端末６２のＩＰアドレス等の情報が登録される（Ｓ１０７）。また、コンテンツ管理部１５は、予めコンテンツごとの再生時間や画面レイアウトなど、広告主等がコンテンツを入稿するための情報を設定する（Ｓ１０８）。また、スケジュール登録部１２は、広告主端末等からコンテンツが入稿された後、ＷＥＢ・ＦＴＰサーバ３から送信されたコンテンツ属性情報を再生スケジュールとして管理する（Ｓ１０９）。
【００２６】
コンテンツ配信管理部１１は、例えば、１週間分のコンテンツ及びその再生スケジュールを再生日時前に配信するため（Ｓ１１０）、コンテンツ蓄積・再生端末６２に送信するコンテンツの情報を、ＤＢサーバ２から配信サーバ５に対して送信させ（Ｓ１１２）、その再生スケジュールの情報を配信サーバ５に対して送信する（Ｓ１１１）。配信サーバ５のコンテンツ登録・スケジュール配信部５１は、コンテンツ及びその再生スケジュールを、コンテンツ蓄積・再生端末６２に対して送信する（Ｓ１１３、Ｓ１１４）。コンテンツ蓄積・再生端末６２では、受信した配信期間、画面レイアウト等の情報に基づいてディスプレイ６３にコンテンツを表示する。
【００２７】
次に、コンテンツ配信センタ１０側からコンテンツが配信される度にコンテンツが配信された状況についてのログを管理する方法について説明する。コンテンツ蓄積・再生端末６２は、配信サーバ５から配信されたコンテンツの配信結果についての情報を、コンテンツ登録・スケジュール配信部５１に対して送信する（Ｓ１１５）。コンテンツ登録・スケジュール配信部５１は、受信したコンテンツの配信結果情報に基づいて、配信できなかったコンテンツについての障害情報を解析し、障害監視サーバ４の障害監視部４１に対して送信する（Ｓ１１６）。障害監視部４１は、受信した障害情報を、エレベータ情報配信システムを運営する管理者に対してメール送信することにより通知するとともに（Ｓ１１７）、その障害情報をＤＢサーバ２に送信し（Ｓ１１８）、登録する（Ｓ１４１）。
【００２８】
次に、コンテンツ蓄積・再生端末６２が受信したコンテンツの再生状況に関するログを管理する方法について説明する。コンテンツ蓄積・再生端末６２は、配信サーバ５から配信されたコンテンツについての再生ログ情報を記録しており、その再生ログ情報を定期的に、あるいは、随時、配信サーバ５に対して送信する（Ｓ１１９）。配信サーバ５は再生ログ情報を受信し（Ｓ１２０）、ＤＢサーバ２に対して送信する（Ｓ１２１）。ＤＢサーバ２は受信した再生ログ情報を記録する（Ｓ１４２）。
また、コンテンツ蓄積・再生端末６２で、再生するコンテンツのログを収集することに失敗した場合には、その情報を配信サーバ５に対して送信する（Ｓ１２２）。配信サーバ５のコンテンツ登録・スケジュール配信部５１は、その情報を受信し（Ｓ１２３）、障害監視サーバ４に対して送信する（Ｓ１２４）。障害監視サーバ４の障害監視部４１は、再生ログの収集が失敗したことについての情報を、エレベータ情報配信システムを運営する管理者に対してメール送信することにより通知するとともに（Ｓ１２５）、その障害情報をＤＢサーバ２に送信し（Ｓ１２６）、登録する（Ｓ１２７）。
【００２９】
次に、コンテンツ配信センタ１０から、コンテンツ蓄積・再生端末６２の障害を監視する方法について説明する。配信サーバ５のライフチェック部５２は、随時、ＰＩＮＧ、ＨＴＴＰ、ＦＴＰなどにより状況を確認し（Ｓ１２８、Ｓ１２９）、コンテンツ蓄積・再生端末６２から情報を取得する（Ｓ１３０）。配信サーバ５は、障害情報を取得した場合、受信した障害情報を障害監視サーバ４の障害監視部４１に対して送信する（Ｓ１３１）。障害監視部４１は、エレベータ情報配信システムを運営する管理者に対してメールを送信して通知するとともに（Ｓ１３２）、その障害情報をＤＢサーバ２に対して送信し（Ｓ１３３）、登録する（Ｓ１３４）。
【００３０】
次に、コンテンツ蓄積・再生端末６２から障害を報告する方法について説明する。コンテンツ蓄積・再生端末６２は、プログラムの異常、コンテンツの異常等の障害情報を配信サーバ５のライフチェック部５２に対して送信する（Ｓ１３５、Ｓ１３６）。コンテンツ蓄積・再生端末６２は、再生スケジュールに記載されているコンテンツが配信されていない場合や、ネットワークがオフライン状態でニュース等のリアルタイムに再生されるコンテンツの更新に失敗した場合などに、プログラムの異常、コンテンツの異常等が発生したと認識する。
ライフチェック部５２は、その障害情報を障害監視サーバ４に対して送信する（Ｓ１３７）。障害監視部４１は、エレベータ情報配信システムを運営する管理者に対してメールを送信して通知するとともに（Ｓ１３８）、その障害情報をＤＢサーバ２に対して送信し（Ｓ１３９）、登録する（Ｓ１４０）。
【００３１】
上述した第１の実施形態によるエレベータ情報配信システムを利用すれば、コンテンツ配信センタから一定期間に再生するコンテンツとその再生スケジュールを再生日時前にまとめて送信するので、常時接続してコンテンツを送信する場合と比較して、コンテンツ配信センタとエレベータとのネットワークの状態による影響を少なくして、情報を安定して再生することができる。また、配信サーバ５と、コンテンツ蓄積・再生端末６２の間でネットワークの状態等により、コンテンツを配信できない事態が生じたとしても、コンテンツ配信センタ１０では、その障害情報を取得することができる。よって、コンテンツを提供する広告主等は、配信したコンテンツが確実にコンテンツ蓄積・再生端末６２に配信されたかについての情報等を把握することができ、正しい配信情報に基づいて効果的に広告を配信することができる。
特に、再生スケジュールの情報に再生保証回数を含む場合、配信ログ及び再生ログを取得して再生回数と比較することによって、広告主等は、再生状況を容易に把握することができる。
【００３２】
次に、本発明の第２の実施形態によるエレベータ情報配信システムについて説明する。本実施形態によるシステムの構成は、第１の実施形態による構成（図１参照）とほぼ同じであるが、建物２０に設置されるコンテンツ蓄積・再生端末６２に、赤外線を受信する赤外線受信部を有する点と、広告ＤＢにＰＤＡ（Personal Disital Assistants）や携帯電話等の携帯情報端末へ送信するための詳細情報が登録されている点において相違する。エレベータ６４の利用者は、赤外線送信機能を有する携帯電話などの携帯情報端末を利用してコンテンツ蓄積・再生端末６２に対してコンテンツの詳細情報を表示要求することができる。
詳細情報は、利用者が赤外線送信によって表示要求して取得することができる各コンテンツに関する詳細な情報であって、コンテンツと共に広告主によって入稿され、コンテンツを表示するためのディスプレイ６３に表示される内容とは別に、広告ＤＢに登録されている。
【００３３】
図９は、本実施形態によるエレベータ情報配信システムの処理を示すシーケンス図である。エレベータ６４の利用者は、赤外線通信機能を有する携帯情報端末によりコンテンツ蓄積・再生端末６２に対して詳細情報を表示要求する場合には、携帯情報端末の専用アプリケーションを起動する（Ｓ２０１）。利用者が、コンテンツ表示用ディスプレイ６３に興味のあるコンテンツが表示されているとき、携帯情報端末は、赤外線通信によって詳細情報取得要求の信号をコンテンツ蓄積・再生端末６２に対して送信する（Ｓ２０２）。コンテンツ蓄積・再生端末６２は、携帯情報端末から詳細情報取得要求の信号を受信すると、専用のアプリケーションを起動し（Ｓ２０３）、詳細情報取得要求の信号を送信した時刻を示す要求日時情報をコントロールサーバ１に対して送信し（Ｓ２０４）、その要求日時情報をコントロールサーバ１のスケジュール登録部１２に登録する（Ｓ２０５）。スケジュール登録部１２は、信号送信元の再生スケジュールと照合して要求日時に該当するコンテンツの詳細情報を要求する信号をＤＢサーバ２に対して送信する（Ｓ２０６）。ＤＢサーバ２は、データベースから該当コンテンツの詳細情報を読み出し（Ｓ２０７）、配信サーバ５に対して送信する（Ｓ２０８）。配信サーバ５のコンテンツ登録・スケジュール配信部５１は、コントロールサーバ１によって、ＤＢサーバ２から受信した該当コンテンツの詳細情報をコンテンツ蓄積・再生端末６２に対して送信する（Ｓ２０９、Ｓ２１０）。コンテンツ蓄積・再生端末６２で起動されている専用アプリケーションは、受信した該当コンテンツの詳細情報を、携帯情報端末に対して送信する（Ｓ２１１、Ｓ２１２）。携帯情報端末は、受信したコンテンツの詳細情報を専用アプリケーションで処理することにより、携帯情報端末の表示画面等にコンテンツの詳細情報を表示する（Ｓ２１３）。
また、赤外線通信機能を用いて、ディスプレイ６３でコンテンツを表示する再生スケジュールやレイアウトを変更することも可能である。この場合、上記詳細情報を表示要求する場合と同様、携帯情報端末の専用アプリケーションを起動しておき、携帯情報端末は、赤外線通信によって再生スケジュール又はレイアウト変更要求の信号をコンテンツ蓄積・再生端末６２に送信する。この信号を受信したコンテンツ蓄積・再生端末６２は、専用のアプリケーションを起動し、再生スケジュールに基づいて、再生スケジュール又はレイアウト変更用画面を携帯情報端末に対して送信する。なお、専用アプリケーションは常時起動しており、赤外線通信のスタンバイ状態である。携帯情報端末は、受信した当該変更用画面を専用アプリケーションで処理することにより、携帯情報端末の表示画面等に変更用画面を表示し、所望の再生スケジュール又はレイアウトに変更する処理を行う。その処理結果を携帯情報端末からコンテンツ蓄積・再生端末６２に送信すると、これを受けたコンテンツ蓄積・再生端末６２は、専用のアプリケーションで処理して再生スケジュールを変更し、ディスプレイ６３に表示されるコンテンツの再生スケジュール又はレイアウトを変更することができる。なお、変更された再生スケジュールの情報は、必要に応じてコンテンツ蓄積・再生端末６２から配信サーバ５を介して、スケジュール登録部１２へ送信される。
【００３４】
上述した第２の実施形態によるエレベータ情報配信システムを利用すれば、第１の実施形態と同様に情報提供者が障害情報を取得することができるとともに、エレベータ６４の利用者は、希望する場合にはディスプレイ６３に表示されるコンテンツの詳細情報を取得することができる。また、再生スケジュールでは表示画面のフレームごとに再生するコンテンツの再生スケジュールを設定するので、ネットワーク７や、エレベータ６４内の無線アクセスポイント１０と無線クライアント１２の間での通信が遮断した場合であっても、エレベータ６４に設置されているディスプレイ６３と、エレベータ６４の利用者が所持する赤外線通信機能を有する携帯情報端末の間で通信を行うことにより、コンテンツ蓄積・再生端末６２のコンテンツを表示する再生スケジュールや、ディスプレイ６３に表示するコンテンツの画面レイアウトを変更することが可能となる。
【００３５】
次に、本発明の第３の実施形態によるエレベータ情報配信システムについて説明する。本実施形態によるシステムの構成は、第１の実施形態による構成（図１参照）とほぼ同じであるが、ディスプレイ６３がコンテンツを表示するだけでなくタッチパネルによりエレベータ６４の利用者がコンテンツ配信センタ１０に対して指示を与えることができる点、及び、建物２０の屋上等に外部の天気等を観測するための屋外設置カメラが設置されている点において相違する。
【００３６】
図１０は、本実施形態によるエレベータ情報配信システムの処理を示すシーケンス図である。始めに、エレベータ６４の利用者がディスプレイに表示されるタッチパネルを操作することにより、希望するコンテンツを表示する方法について説明する。エレベータ６４に設置されるディスプレイ６３には、タッチパネル用のメニュー画面が表示される（Ｓ３０１）。ディスプレイ６３のタッチパネルからは、再生リスト表示要求の信号がコンテンツ蓄積・再生端末６２に対して送信される（Ｓ３０２）。コンテンツ蓄積・再生端末６２は、蓄積されている再生スケジュールを参照することにより、再生可能なコンテンツを一覧表示する（Ｓ３０３）。コンテンツ蓄積・再生端末６２からは、再生可能コンテンツ情報がディスプレイ６３に送信され表示される（Ｓ３０４）。ディスプレイ６３のタッチパネルからは、エレベータ６４の利用者の操作に基づいて、再生可能コンテンツ情報の中から再生するコンテンツが優先して再生したい順に選択される（Ｓ３０５）。ディスプレイ６３のタッチパネルからは、コンテンツ選択順情報がコンテンツ蓄積・再生端末６２に対して送信される（Ｓ３０６）。コンテンツ蓄積・再生端末６２では、蓄積されている配信スケジュールを選択順情報に基づいて変更する（Ｓ３０７）。そして、コンテンツ蓄積・再生端末６２から選択順にコンテンツの情報をディスプレイ６３に対して送信することにより、コンテンツを表示する（Ｓ３０８）。
【００３７】
次に、エレベータ６４の利用者がディスプレ６３イに表示されるタッチパネルを操作することにより、建物２０の屋外の天気の情報を取得する方法について説明する。
エレベータ６４の利用者は、ディスプレイ６３のタッチパネルに表示されているタッチパネル用メニューを選択することにより（Ｓ３０９）、カメラ表示要求の信号をコンテンツ蓄積・再生端末６２に対して送信する（Ｓ３１０）。コンテンツ蓄積・再生端末６２は、映像の取得を希望する屋外設置カメラを指定し（Ｓ３１１）、その屋外設置カメラに対して映像表示要求の信号を送信する（Ｓ３１２）。屋外設置カメラは、屋外の映像情報をコンテンツ蓄積・再生端末６２に送信する（Ｓ３１３）。コンテンツ蓄積・再生端末６２は、ディスプレイ６３に対して映像情報を送信し、表示する（Ｓ３１４）。
【００３８】
次に、エレベータ６４の利用者がディスプレイ６３に表示されるタッチパネルを操作することにより、建物２０に入居しているテナントと通信を行う方法について説明する。
エレベータ６４の利用者は、ディスプレイ６３のタッチパネルに表示されているタッチパネル用メニューを選択することにより（Ｓ３１５）、テナント情報表示要求の信号をコンテンツ蓄積・再生端末６２に対して送信する（Ｓ３１６）。コンテンツ蓄積・再生端末６２は、利用者が中にいる建物２０を特定するためのビルＩＤと、通信を希望する建物２０のテナントを特定するためのビルＩＤと、テナント情報を要求する信号と、利用者が使用しているエレベータ６４に設置されているディスプレイ６３を特定するためのディスプレイＩＤの情報を配信サーバ５を介してコントロールサーバ１のディスプレイ管理部１４に送信する（Ｓ３１７）。ディスプレイ管理部１４は、ビルＩＤ及びディスプレイＩＤの情報と、テナント情報を要求する信号とを取得し（Ｓ３１８）、それらの情報をＤＢサーバ２に対して送信する（Ｓ３１９）。ＤＢサーバ２のコンテンツ登録部２１は、データベースから入居テナントのアドレス情報を読み出し（Ｓ３２０）、配信サーバ５に対して送信する（Ｓ３２１）。配信サーバ５のコンテンツ登録・スケジュール配信部５１は、入居テナントのアドレス情報を受信し（Ｓ３２２）、その情報をコンテンツ蓄積・再生端末６２に対して送信する（Ｓ３２３）。コンテンツ蓄積・再生端末６２は、入居テナントのアドレス情報から、入居テナントの情報をディスプレイ６３に送信し表示する（Ｓ３２４）。エレベータの利用者は、ディスプレイ６３に表示される入居テナントの中から通話を希望するテナントをタッチパネルにより選択し（Ｓ３２５）、コンテンツ蓄積・再生端末６２に対して、そのテナントへの接続要求の信号を送信し（Ｓ３２６）、接続を行う（Ｓ３２７）。
【００３９】
次に、エレベータ６４の利用者がディスプレイ６３に表示されるタッチパネルを操作することにより、タクシーの呼び出しを行う方法について説明する。
エレベータの利用者は、ディスプレイ６３のタッチパネルに表示されているタッチパネル用メニューを選択することにより（Ｓ３２８）、登録タクシー情報表示要求の信号をコンテンツ蓄積・再生端末６２に対して送信する（Ｓ３２９）。コンテンツ蓄積・再生端末６２は、利用者が中にいる建物２０を特定するためのビルＩＤと、利用者が使用しているエレベータ６４に設置されているディスプレイ６３を特定するためのディスプレイＩＤの情報とタクシーの呼び出しを要求する信号とを配信サーバ５を介してコントロールサーバ１のディスプレイ管理部１４に送信する（Ｓ３３１）。ディスプレイ管理部１４は、ビルＩＤ及びディスプレイＩＤの情報とタクシーの呼び出しを要求する信号とを取得し（Ｓ３３２）、それらの情報をＤＢサーバ２に対して送信する（Ｓ３３３）。ＤＢサーバ２のコンテンツ登録部２１は、データベースから登録タクシーのアドレス情報を読み出し、配信サーバ５に対して送信する（Ｓ３３４）。配信サーバ５のコンテンツ登録・スケジュール配信部５１は、登録タクシーのアドレス情報を受信し（Ｓ３３５）、ＤＢサーバ２の指示によりその情報をコンテンツ蓄積・再生端末６２に対して送信する（Ｓ３３６）。コンテンツ蓄積・再生端末６２は、登録タクシーのアドレス情報から、登録タクシーの情報をディスプレイ６３に送信し表示する（Ｓ３３７）。エレベータ６４の利用者は、ディスプレイ６３に表示される登録タクシーの中から通話を希望するタクシーをタッチパネルにより選択し（Ｓ３３８）、コンテンツ蓄積・再生端末６２に対して、そのタクシーのアドレス情報を送信し（Ｓ３３９）する。コンテンツ蓄積・再生端末６２は、そのタクシーのアドレス情報を配信サーバ５を介してコントロールサーバ１に対して送信し（Ｓ３４０）、コントロールサーバ１は該当するタクシーに対して利用を希望する旨のメールを送信する（Ｓ３４１）。
【００４０】
上述した第３の実施形態によるエレベータ情報配信システムを利用すれば、利用者がエレベータ６４内にいる場合であっても、エレベータ６４内に設置されるタッチパネルの機能が設けられたディスプレイ６３を操作することにより、希望するコンテンツを再生させたり、建物２０の屋外の天気の情報を入手したり、建物２０内の入居テナントと通話を行ったり、タクシーの呼び出しを行ったりすることができる。
【００４１】
なお、以上説明した実施形態において、図１のコントロールサーバ１、ＤＢサーバ２、ＷＥＢ／ＦＴＰサーバ３、障害監視サーバ４、配信サーバ５、コンテンツ蓄積・再生端末６２などの機能を実現するためのプログラムをコンピュータ読み取り可能な記録媒体に記録して、この記録媒体に記録されたプログラムをコンピュータシステムに読み込ませ、実行することによりエレベータ情報配信システムの制御を行ってもよい。なお、ここでいう「コンピュータシステム」とは、ＯＳや周辺機器等のハードウェアを含むものとする。
【００４２】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００４３】
以上、この発明の実施形態について図面を参照して詳述してきたが、具体的な構成はこの実施形態に限られるものではなく、この発明の要旨を逸脱しない範囲の設計等も含まれる。
【図面の簡単な説明】
【００４４】
【図１】本発明の第１の実施形態によるエレベータ情報配信システムの構成図である。
【図２】配信ログ登録部２２に登録される再生結果データの一例を示す図である。
【図３】コンテンツ管理部１５により設定されるコンテンツの画面レイアウトの一例である。
【図４】ディスプレイ６３のフレームｆ１〜ｆ４に表示させるコンテンツの設定情報の一例を示す図である。
【図５】ＤＢサーバ２のコンテンツ登録部２１に登録されるコンテンツ属性情報の一例を示す図である。
【図６】コンテンツ登録・スケジュール配信部５１によりコンテンツを配信する際の制御の一例を示す図である。
【図７】コンテンツ登録・スケジュール配信部５１に記録されるデータの一例である。
【図８】本発明の第１の実施形態によるエレベータ情報配信システムの処理を示すシーケンス図である。
【図９】本発明の第２の実施形態によるエレベータ情報配信システムの処理を示すシーケンス図である。
【図１０】本発明の第３の実施形態によるエレベータ情報配信システムの処理を示すシーケンス図である。
【符号の説明】
【００４５】
１・・・コントロールサーバ、２・・・ＤＢサーバ、３・・・ＷＥＢ／ＦＴＰサーバ、４・・・障害監視サーバ、５・・・配信サーバ、６・・・ルータ、７・・・ネットワーク、１０・・・コンテンツ配信センタ、８（８ａ、８ｂ）・・・ルータ、９（９ａ、９ｂ）・・・ビル内エレベータ用ＬＡＮ、１１・・・コンテンツ配信管理部、１２・・・スケジュール登録部、１３・・・配信ログ収集部、１４・・・ディスプレイ管理部、１５・・・コンテンツ管理部、２０（２０ａ、２０ｂ）・・・建物、２１・・・コンテンツ登録部、２２・・・配信ログ登録部、３１・・・認証部、３２・・・入稿管理部、４１・・・障害監視部、５１・・・コンテンツ登録・スケジュール配信部、５２・・・ライフチェック部、６０（６０ａ、６０ｂ）・・・無線アクセスポイント、６１（６１ａ１、６１ａ２、６１ｂ１、６１ｂ２）・・・無線クライアント、６２（６２ａ１、６２ａ２、６２ｂ１、６２ｂ２）・・・コンテンツ蓄積・再生端末、６３（６３ａ１、６３ａ２、６３ｂ１、６３ｂ２）・・・ディスプレイ、６４（６４ａ１、６４ａ２、６４ｂ１、６４ｂ２）・・・エレベータ
【図１】
2006293595.tif 000003
【図２】
2006293595.tif 000004
【図３】
2006293595.tif 000005
【図４】
2006293595.tif 000006
【図５】
2006293595.tif 000007
【図６】
2006293595.tif 000008
【図７】
2006293595.tif 000009
【図８】
2006293595.tif 000010
【図９】
2006293595.tif 000011
【図１０】
2006293595.tif 000012